【手続補正書】
【提出日】令和1年5月9日(2019.5.9)
【手続補正１】
【補正対象書類名】明細書
【補正対象項目名】発明の名称
【補正方法】変更
【補正の内容】
【発明の名称】学習支援装置、学習支援方法及びプログラム
【手続補正２】
【補正対象書類名】明細書
【補正対象項目名】０００１
【補正方法】変更
【補正の内容】
【０００１】
本発明は、学習支援装置、学習支援方法及びプログラムに関する。
【手続補正３】
【補正対象書類名】明細書
【補正対象項目名】０００７
【補正方法】変更
【補正の内容】
【０００７】
本発明は、上記の問題点を鑑みてなされたものであり、１つの文章（問題文）について複数の問い（設問）に回答する形式の聴き取り問題について、学習の効果を高めることが可能な学習支援装置、学習支援方法及びプログラムを提供することを目的とする。
【手続補正４】
【補正対象書類名】明細書
【補正対象項目名】０００８
【補正方法】変更
【補正の内容】
【０００８】
以上の課題を解決するため、本発明の学習支援装置は、１つの文章及び前記文章に関連した複数の問いを表す音声データを再生する再生手段と、前記再生手段による前記音声データの再生中に、前記複数の問いに対する回答を入力させる入力手段と、前記入力手段での回答の入力後に一時停止することなしに再生を継続する第１の再生制御、前記入力手段での回答の入力に応じて再生を一時停止した後に前記一時停止した位置からの再生を再開する第２の再生制御、前記音声データの再生中における前記入力手段での回答の入力に応じて再生位置を設定された再生位置に変更するとともに、前記変更された再生位置から再生を継続する第３の再生制御、のうちの少なくとも２つの再生制御を選択的に設定する設定手段と、を備えることを特徴とする。
【手続補正５】
【補正対象書類名】特許請求の範囲
【補正対象項目名】全文
【補正方法】変更
【補正の内容】
【特許請求の範囲】
【請求項１】
１つの文章及び前記文章に関連した複数の問いを表す音声データを再生する再生手段と、
前記再生手段による前記音声データの再生中に、前記複数の問いに対する回答を入力させる入力手段と、
前記入力手段での回答の入力後に一時停止することなしに再生を継続する第１の再生制御、前記入力手段での回答の入力に応じて再生を一時停止した後に前記一時停止した位置からの再生を再開する第２の再生制御、前記音声データの再生中における前記入力手段での回答の入力に応じて再生位置を設定された再生位置に変更するとともに、前記変更された再生位置から再生を継続する第３の再生制御、のうちの少なくとも２つの再生制御を選択的に設定する設定手段と、
を備えた学習支援装置。
【請求項２】
前記入力手段は、前記再生手段による前記音声データの再生中に、前記複数の問いに対する回答を順番に入力させ、
前記第３の再生制御は、前記音声データの再生中における前記入力手段での回答の入力タイミングに応じて再生位置を設定された再生位置に変更するとともに、前記変更された再生位置から再生を継続する、請求項１に記載の学習支援装置。
【請求項３】
前記入力手段は、前記再生手段による前記音声データの再生中において、表示手段の画面上に、前記複数の問いのうちの１つの問いの回答を選択させて入力させるための選択肢を表示させ、前記表示された選択肢を選択する入力操作があった後に、次の問いの回答を選択させて入力させるための選択肢の表示へと進ませる制御を行う、請求項１または２に記載の学習支援装置。
【請求項４】
前記入力手段は、
前記設定手段により設定された再生制御が少なくとも前記第１の再生制御である場合には、前記回答の入力があったタイミングで、前記表示手段の画面上に表示させる前記選択肢を次の前記問いの前記選択肢に切り換えるが、
前記設定手段により設定された再生制御が少なくとも前記第２の再生制御である場合には、前記タイミングでは、前記表示手段の画面上に表示させる前記選択肢を次の前記問いの前記選択肢に切り換えない、請求項３に記載の学習支援装置。
【請求項５】
前記タイミングは、前記回答の入力が完了した時点である、請求項４に記載の学習支援装置。
【請求項６】
前記再生手段は、前記１つの文章を表す音声データと、前記文章に関連した複数の問いの各々を表す音声データとを、決められた順番で再生していき、
前記入力手段は、前記再生手段により前記１つの文章を表す音声データと、前記文章に関連した複数の問いの各々を表す音声データとが順番に再生されている任意のタイミングで、前記問いに対する回答を入力させることが可能であり、
前記再生手段による前記音声データの再生中に前記入力手段による入力が行われた任意のタイミングにおいて、前記設定手段により設定された再生制御に従って前記音声データの再生を制御する制御手段を更に備えた、請求項１から請求項５のいずれか一項に記載の学習支援装置。
【請求項７】
１つの文章に関連して複数の問いに回答させる第１形式の問題セットと、１つの文章に関連して１つの問いに回答させる第２形式の問題セットとを含む複数の問題セットのそれぞれについて、前記１つの文章の音声に続いて１又は複数の問いの音声が順番に再生される形態で前記音声データを記憶する記憶手段と、
前記記憶手段に記憶されている複数の問題セットの中から出題する問題セットを指定する指定手段と、
前記指定手段により前記第１形式の問題セットが指定された場合には、前記設定手段により設定された前記第１の再生制御、前記第２の再生制御、前記第３の再生制御のうちの少なくとも２つの再生制御を可能とし、前記指定手段により前記第２形式の問題セットが指定された場合には、前記第１の再生制御又は前記入力手段での回答の入力に応じて再生を終了する第４の再生制御のいずれかを実行する制御手段を更に備えた、請求項１から請求項６のいずれか一項に記載の学習支援装置。
【請求項８】
前記設定手段により設定された再生制御が少なくとも前記第２の再生制御である場合に、前記音声データの再生を一時停止したタイミングで、前記問いに対して入力された前記回答が正解であるか不正解であるかを判定する判定手段と、
前記判定手段が判定した正解又は不正解を表示手段の画面上に表示させる制御を行う表示制御手段と、
を更に備える、請求項１から請求項７のいずれか一項に記載の学習支援装置。
【請求項９】
前記表示制御手段は、前記設定手段により設定された再生制御が少なくとも前記第２の再生制御である場合に、前記回答の入力があると、前記表示手段の画面を、前記問いに対応する解説を表示する画面に遷移させる、請求項８に記載の学習支援装置。
【請求項１０】
前記表示制御手段は、
前記設定手段により設定された再生制御が少なくとも前記第２の再生制御である場合には、前記回答の入力があると、前記表示手段の画面を、前記問いに対応する解説を表示する画面に遷移させるが、
前記設定手段により設定された再生制御が少なくとも前記第１の再生制御である場合には、前記回答が入力されても、前記表示手段の画面を、前記問いに対応する解説を表示する画面に遷移させない、請求項８または９に記載の学習支援装置。
【請求項１１】
前記再生手段は、前記設定手段により設定された再生制御が前記第３の再生制御であり、前記問いの音声データを再生させている際に前記回答の入力があった場合、前記再生位置を、当該問いの次の前記問いの最初の位置に変更して前記音声データの再生を継続させる、請求項１から請求項１０のいずれか一項に記載の学習支援装置。
【請求項１２】
前記入力手段は、前記再生手段による前記音声データの再生中に、表示手段の画面上に、前記複数の問いの各文章及び前記問いごとの回答の選択肢の文章を表示させる、請求項１から請求項１１のいずれか一項に記載の学習支援装置。
【請求項１３】
１つの文章及び前記文章に関連した複数の問いを表す音声データを再生する再生処理と、
前記再生処理での前記音声データの再生中に、前記複数の問いに対する回答を入力させる入力処理と、
前記入力処理での回答の入力後に一時停止することなしに再生を継続する第１の再生制御、前記入力処理での回答の入力に応じて再生を一時停止した後に前記一時停止した位置からの再生を再開する第２の再生制御、前記入力処理での回答の入力に応じて再生位置を設定された再生位置に変更するとともに、前記変更された再生位置から再生を継続する第３の再生制御、のうちの少なくとも２つの再生制御を選択的に設定する設定処理と、
を含む学習支援方法。
【請求項１４】
コンピュータを、
１つの文章及び前記文章に関連した複数の問いを表す音声データを再生する再生手段、
前記再生手段による前記音声データの再生中に、前記複数の問いに対する回答を入力させる入力手段、
前記入力手段での回答の入力後に一時停止することなしに再生を継続する第１の再生制御、前記入力手段での回答の入力に応じて再生を一時停止した後に前記一時停止した位置からの再生を再開する第２の再生制御、前記音声データの再生中における前記入力手段での回答の入力に応じて再生位置を設定された再生位置に変更するとともに、前記変更された再生位置から再生を継続する第３の再生制御、のうちの少なくとも２つの再生制御を選択的に設定する設定手段、
として機能させるためのプログラム。